(57)【要約】【課題】プレビュー画像を表示する際の操作者にかかる負担を軽減する手段を提供する。【解決手段】画像形成装置は、無線通信部で最も接近していると判定された撮像装置に、読取設定情報を送信し、撮像装置は、画像形成装置から受信した読取設定情報と、取得部が取得した原稿画像とに基づいて原稿のプレビュー画像を表示部に表示する。【選択図】        図１
2020087249.tif 000002
【特許請求の範囲】
【請求項１】
撮像装置と、前記撮像装置と無線通信可能であって原稿の画像を読取る読取部を備えた画像形成装置とを有し、
前記撮像装置は、
原稿の画像を取得する取得部と、
前記取得部が取得した原稿画像と、前記画像形成装置の読取部で原稿を読取るときの読取設定情報とに基づいて原稿画像のプレビュー画像を作成するプレビュー画像作成部と、
前記プレビュー画像作成部が作成したプレビュー画像を表示する表示部と、
を有し、
前記画像形成装置は、
前記撮像装置と無線通信を行い、前記撮像装置との距離を判定する無線通信部と、
前記読取部で原稿を読取る場合の読取設定情報を送信する読取設定送信部と、
を有し、
前記画像形成装置は、
前記無線通信部で最も接近していると判定された前記撮像装置に、前記読取設定情報を送信し、
前記撮像装置は、
前記画像形成装置から受信した読取設定情報と、前記取得部が取得した原稿画像とに基づいて原稿のプレビュー画像を表示部に表示することを特徴とする画像形成システム。
【請求項２】
請求項１に記載の画像形成システムにおいて、
前記撮像装置は、
前記取得部として、原稿の画像および前記画像形成装置の画像を撮影する撮像部と、
前記撮像部で撮影された画像において、原稿の位置および前記画像形成装置の読取部の位置を追跡する追跡部と、
を有し、
前記追跡部により追跡された原稿の位置および前記画像形成装置の読取部の位置に基づいて、前記読取部に接近していると判定された原稿のプレビュー画像を表示部に表示することを特徴とする画像形成システム。
【請求項３】
請求項２に記載の画像形成システムにおいて、
前記追跡部は、原稿の位置と前記画像形成装置の読取部の位置との距離が、所定の範囲内にあるとき、接近している判定することを特徴とする画像形成システム。
【請求項４】
請求項２または請求項３に記載の画像形成システムにおいて、
前記撮像装置は、
前記画像形成装置の画像データを予め記憶した記憶部と、
前記撮像部で撮影された画像と前記記憶部に記憶された画像データに基づいて前記画像形成装置を検出する画像形成装置検出部と、
を有し、
前記追跡部は、前記画像形成装置検出部で検出された画像形成装置の読取部を追跡することを特徴とする画像形成システム。
【請求項５】
請求項２から請求項４のいずれか１項に記載の画像形成システムにおいて、
前記撮像装置は、前記撮像部を有する眼鏡型撮像装置であり、
前記追跡部は、前記眼鏡型撮像装置の視界に入る原稿の位置および前記画像形成装置の読取部の位置を追跡し、
前記プレビュー画像は、前記眼鏡型撮像装置の視界に重ねて表示されることを特徴とする画像形成システム。
【請求項６】
請求項５に記載の画像形成システムにおいて、
前記撮像装置の表示部は、網膜走査ディスプレイであることを特徴とする画像形成システム。
【請求項７】
請求項５に記載の画像形成システムにおいて、
前記撮像装置の表示部は、透過型ヘッドマウントディスプレイであることを特徴とする画像形成システム。
【請求項８】
請求項１に記載の画像形成システムにおいて、
前記撮像装置は、携帯情報端末装置であり、
前記取得部は、前記携帯情報端末装置のカメラ部であり、
前記プレビュー画像は、前記携帯情報端末装置の前記表示部に表示されることを特徴とする画像形成システム。
【請求項９】
原稿の画像を取得する取得部と、前記取得部が取得した原稿画像と、前記画像形成装置の読取部で原稿を読取るときの読取設定情報とに基づいて原稿画像のプレビュー画像を作成するプレビュー画像作成部と、前記プレビュー画像作成部が作成したプレビュー画像を表示する表示部とを有する撮像装置と無線通信可能な画像形成装置であって、
原稿の画像を読取る読取部と、
前記撮像装置と無線通信を行い、前記撮像装置との距離を判定する無線通信部と、
前記読取部で原稿を読取る場合の読取設定情報を送信する読取設定送信部と、
を有し、
前記無線通信部で最も接近していると判定された前記撮像装置に、前記読取設定情報を送信し、前記撮像装置に、前記画像形成装置から受信した読取設定情報と、前記取得部が取得した原稿画像とに基づいて原稿のプレビュー画像を表示部に表示させることを特徴とする画像形成装置。
【発明の詳細な説明】
【技術分野】
【０００１】
本発明は、画像形成装置と撮像装置とを有する画像形成システムに関する。
【背景技術】
【０００２】
従来の画像形成システムは、画像形成装置の画像読取部で原稿の画像を読み取り、原稿の読取り結果を確認するため、原稿のプレビュー画像を携帯端末に表示するようにしている（例えば、特許文献１参照）。
【先行技術文献】
【特許文献】
【０００３】
【特許文献１】特開２０１７−１９５４７５号公報
【発明の概要】
【発明が解決しようとする課題】
【０００４】
しかしながら、従来の技術においては、プレビュー画像で確認した読取り結果が所望のものでない場合、画像形成装置の原稿読取部で再度原稿の画像の読み取り、プレビュー画面を再表示させる必要があり、操作者に負担がかかってしまうという問題がある。
本発明は、このような問題を解決することを課題とし、プレビュー画像を表示する際の操作者にかかる負担を軽減することを目的とする。
【課題を解決するための手段】
【０００５】
そのため、本発明は、撮像装置と、前記撮像装置と無線通信可能であって原稿の画像を読取る読取部を備えた画像形成装置とを有し、前記撮像装置は、原稿の画像を取得する取得部と、前記取得部が取得した原稿画像と、前記画像形成装置の読取部で原稿を読取るときの読取設定情報とに基づいて原稿画像のプレビュー画像を作成するプレビュー画像作成部と、前記プレビュー画像作成部が作成したプレビュー画像を表示する表示部と、を有し、前記画像形成装置は、前記撮像装置と無線通信を行い、前記撮像装置との距離を判定する無線通信部と、前記読取部で原稿を読取る場合の読取設定情報を送信する読取設定送信部と、を有し、前記画像形成装置は、前記無線通信部で最も接近していると判定された前記撮像装置に、前記読取設定情報を送信し、前記撮像装置は、前記画像形成装置から受信した読取設定情報と、前記取得部が取得した原稿画像とに基づいて原稿のプレビュー画像を表示部に表示することを特徴とする。
【発明の効果】
【０００６】
このようにした本発明は、プレビュー画像を表示する際の操作者にかかる負担を軽減することができるという効果が得られる。
【図面の簡単な説明】
【０００７】
【図１】第１の実施例における画像形成システムの構成を示すブロック図
【図２】第１の実施例における撮影処理の流れを示すフローチャート
【図３】第１の実施例における読取設定送信処理の流れを示すフローチャート
【図４】第１の実施例における原稿セット問合せ応答処理の流れを示すフローチャート
【図５】第１の実施例におけるプレビュー画像表示処理の流れを示すフローチャート
【図６】第１の実施例における原稿位置座標およびスキャナ部位置座標の説明図
【図７】第２の実施例における画像形成システムの構成を示すブロック図
【図８】第２の実施例における撮影処理の流れを示すフローチャート
【図９】第２の実施例における読取設定送信処理の流れを示すフローチャート
【図１０】第２の実施例におけるプレビュー画像保存問合せ処理の流れを示すフローチャート
【図１１】第２の実施例における画像形成装置、撮像装置および原稿の説明図
【発明を実施するための形態】
【０００８】
以下、図面を参照して本発明による画像形成システムおよび画像形成装置の実施例を説明する。
【実施例１】
【０００９】
図１は第１の実施例における画像形成システムの構成を示すブロック図である。
図１において、画像形成システム１は、撮像装置２０と、撮像装置２０と無線通信可能な画像形成装置１０とを有している。
【００１０】
画像形成装置１０は、例えば原稿の画像を読取る機能を有する複合機（ＭｕｌｔｉＦｕｎｃｔｉｏｎ  Ｐｅｒｉｐｈｅｒａｌ：ＭＦＰ）等であり、スキャナ部１０１と、外部Ｉ／Ｆ（Ｉｎｔｅｒｆａｃｅ）１０２と、操作部１０３と、原稿検出部１０４と、印刷部１０５と、スキャン設定送信部１０６と、無線通信距離判定部１０７と、制御部１０８とを有している。
【００１１】
読取部としてのスキャナ部１０１は、原稿の画像を読取るものである。このスキャナ部１０１は、原稿載置台としてのフラットベッド（ＦｌａｔＢｅｄ）に置かれた原稿や自動給紙装置としてのＡＤＦ（Ａｕｔｏ  Ｄｏｃｕｍｅｎｔ  Ｆｅｅｄｅｒ）で給紙された原稿を読取り、原稿の画像データを生成する。
【００１２】
外部Ｉ／Ｆ１０２は、ウェアラブル端末、携帯情報端末装置、ＰＣ（Ｐｅｒｓｏｎａｌ  Ｃｏｍｐｕｔｅｒ）等のデバイス（外部装置）と有線通信（有線ＬＡＮ等）や無線通信（無線ＬＡＮ、ＢｌｕｅＴｏｏｔｈ（登録商標）、ＮＦＣ（Ｎｅａｒ  Ｆｉｅｌｄ  Ｃｏｍｍｕｎｉｃａｔｉｏｎ）等）の通信を行うものである。本実施例の外部Ｉ／Ｆ１０２は、無線通信を行うものとして説明する。
【００１３】
操作部１０３は、ディスプレイ等の表示手段やハードキーやタッチパネル等の入力手段を備え、ユーザに対して情報の表示やユーザの入力操作を受け付けるオペレーションパネル等である。
原稿検出部１０４は、スキャナ部１０１に原稿がセットされたことを検出し、制御部１０８に通知するものである。
【００１４】
印刷部１０５は、外部Ｉ／Ｆ１０２を介して受信した印刷データやスキャナ部１０１で読取った原稿の画像データに基づいて媒体に画像を形成して印刷を行うものである。
読取設定送信部としてのスキャン設定送信部１０６は、スキャナ部１０１で原稿をスキャンする（読取る）ときの読取設定情報としての設定値（例えば、読取解像度、原稿種類等）をスキャン設定値として外部Ｉ／Ｆ１０２を介して外部装置へ送信するものである。なお、スキャン設定値は、画像形成装置１０の設定情報であり、不揮発性のメモリ等の記憶手段に記憶されたものである。
【００１５】
無線通信部としての無線通信距離判定部１０７は、外部Ｉ／Ｆ１０２による無線通信方式において外部装置との間で通信する電波の強度から通信相手である外部装置との距離を判定するものである。無線通信距離判定部１０７は、撮像装置２０との間で無線通信を行い、撮像装置２０との距離を判定する。
【００１６】
制御部１０８は、ＣＰＵ（Ｃｅｎｔｒａｌ  Ｐｒｏｃｅｓｓｉｎｇ  Ｕｎｉｔ）等の制御手段を備え、記憶手段１０８ａに格納された制御プログラム（ソフトウェア）に基づいてスキャナ部１０１、外部Ｉ／Ｆ１０２、操作部１０３、原稿検出部１０４、印刷部１０５、スキャン設定送信部１０６、および無線通信距離判定部１０７を制御し、画像形成装置１０全体の動作を制御するものである。
【００１７】
撮像装置２０は、画像を撮影する機能を有するものであり、カメラ部２０１と、外部Ｉ／Ｆ２０２と、表示部２０３と、原稿検出部２０４と、画像一時保存部２０５と、撮影物位置追跡部２０６と、スキャン設定受信部２０７と、画像形成装置検出部２０８と、プレビュー用画像決定部２０９と、プレビュー画像作成部２１０と、記憶装置２１１と、制御部２１２とを有している。
本実施例の撮像装置２０は、身体に装着することができるウェアラブル端末であり、例えば眼鏡型撮像装置（メガネ型デバイス）、所謂スマートグラスと呼ばれるものである。
【００１８】
取得部（撮像部）としてのカメラ部２０１は、レンズおよびイメージセンサを備え、レンズを通した映像を画像データとして取得するものである。カメラ部２０１は、原稿の画像および画像形成装置の画像を取得（撮影）する。
外部Ｉ／Ｆ２０２は、画像形成装置１０やＰＣ等のデバイス（外部装置）と無線通信（無線ＬＡＮ、ＢｌｕｅＴｏｏｔｈ（登録商標）、ＮＦＣ等）を行うものである。
【００１９】
表示部２０３は、透過型ヘッドマウントディスプレイ（Ｈｅａｄ−Ｍｏｕｎｔｅｄ  Ｄｉｓｐｌａｙ：ＨＭＤ）等の透明なガラス素子に画像を投影して表示するものや、網膜走査ディスプレイ（Ｖｉｒｔｕａｌ  Ｒｅｔｉｎａｌ  Ｄｉｓｐｌａｙ：ＶＲＤ）等の人の網膜に画像を直接投影するものなどから構成され、利用者に伝えるメッセージ等を表示するものである。
本実施例の表示部２０３は、例えばメガネのレンズの一部に画像を表示するものや片側の目で視認可能なプリズム等で構成されたものである。また、表示部２０３は、プレビュー画像作成部２１０が作成したプレビュー画像を表示する。
【００２０】
原稿検出部２０４は、カメラ部２０１が撮影した画像に基づいて画像形成装置１０で読取ることができる原稿サイズの原稿と判断できる形のものを検出し、検出した原稿の追跡を撮影物位置追跡部２０６に依頼するものである。
画像一時保存部２０５は、原稿検出部２０４が原稿と判断したものの画像を記憶し、保存する記憶手段である。
【００２１】
追跡部としての撮影物位置追跡部２０６は、カメラ部２０１で撮影された画像において、原稿の位置および画像形成装置１０のスキャナ部１０１の位置を追跡するものである。この撮影物位置追跡部２０６は、原稿検出部２０４が原稿と判断したものの位置や、画像形成装置検出部２０８が検出した画像形成装置１０のスキャナ部１０１の位置が、カメラ部２０１で撮影される画像の中でどのように移動するかを追跡し、撮影画像における原稿およびスキャナ部１０１の座標を原稿位置座標およびスキャナ部位置座標として記憶手段２１２ａに保持する。
【００２２】
スキャン設定受信部２０７は、外部Ｉ／Ｆ２０２を介して外部装置から送られてくるスキャン設定値を受信し、一時記憶するものである。
【００２３】
画像形成装置検出部２０８は、カメラ部２０１で撮影された画像と記憶装置２１１に記憶された画像形成装置１０の画像データに基づいて画像形成装置１０を検出するものである。この画像形成装置検出部２０８は、記憶装置２１１に保存されている画像形成装置１０の画像パターンを利用し、カメラ部２０１で撮影した画像に、画像形成装置１０の画像が含まれていることを検出し、画像形成装置１０のスキャナ部１０１の位置の追跡を撮影物位置追跡部２０６に依頼する。
【００２４】
プレビュー用画像決定部２０９は、撮影物位置追跡部２０６が保持する原稿位置座標と、スキャナ位置座標とに基づき最もスキャナ位置座標に近い位置に存在する原稿の画像をプレビュー用に使用する画像として決定するものである。
プレビュー画像作成部２１０は、プレビュー用画像決定部２０９が決定した原稿の画像データを画像一時保存部２０５から取得し、またスキャン設定受信部２０７からスキャン設定値を取得し、取得した原稿の画像データおよびスキャン設定値に基づいて原稿画像のプレビュー用の画像（プレビュー画像）を作成し、表示部２０３に表示するものである。
【００２５】
ここで、プレビュー用の画像（プレビュー画像）は、画像形成装置１０で原稿を読取った場合の画像データを確認するための画像であり、画像形成装置１０が原稿を読取る際に使用するスキャン設定値を使用してプレビュー画像作成部２１０がプレビュー用画像決定部２０９で決定した原稿の画像データに基づいて作成する画像である。
プレビュー画像作成部２１０は、取得した原稿の画像データにスキャン設定値を適用して原稿のプレビュー用の画像を作成する。したがって、プレビュー画像作成部２１０は、カメラ部２０１で撮影した原稿の画像を画像形成装置１０で読み取った場合のプレビュー画像を作成することができる。
【００２６】
記憶部としての記憶装置２１１は、画像形成装置１０の画像パターン（画像データ）を予め記憶するものである。
制御部２１２は、ＣＰＵ等の制御手段を備え、記憶手段２１２ａに格納された制御プログラム（ソフトウェア）に基づいてカメラ部２０１、外部Ｉ／Ｆ２０２、表示部２０３、原稿検出部２０４、画像一時保存部２０５、撮影物位置追跡部２０６、スキャン設定受信部２０７、画像形成装置検出部２０８、プレビュー用画像決定部２０９、プレビュー画像作成部２１０、および記憶装置２１１を制御し、撮像装置２０全体の動作を制御するものである。
【００２７】
本実施例の撮像装置２０は、カメラ部２０１を有する眼鏡型撮像装置であり、撮影物位置追跡部２０６により、眼鏡型撮像装置の視界に入る原稿の位置および画像形成装置１０のスキャナ部１０１部の位置を追跡し、原稿のプレビュー画像を眼鏡型撮像装置の視界に重ねて表示するようにしている。
このように構成された画像形成システム１において、画像形成装置１０は、無線通信距離判定部１０７で最も接近していると判定された撮像装置２０に、スキャン設定値を送信し、撮像装置２０は、画像形成装置１０から受信したスキャン設定値と、カメラ部２０１が取得した原稿画像とに基づいて原稿のプレビュー画像を表示部２０３に表示する。
【００２８】
図６は第１の実施例における原稿位置座標およびスキャナ部位置座標の説明図である。
【００２９】
図６において、撮像装置２０は、カメラ部２０１で撮影した画像において原稿Ａ、原稿Ｂおよび原稿Ｃを追跡し、原稿Ａの４つの頂点の座標を原稿位置座標（Ｘ１１，Ｙ１１，Ｚ１１）・（Ｘ１２，Ｙ１２，Ｚ１２）・（Ｘ１３，Ｙ１３，Ｚ１３）・（Ｘ１４，Ｙ１４，Ｚ１４）、原稿Ｂの４つの頂点の座標を原稿位置座標（Ｘ２１，Ｙ２１，Ｚ２１）・（Ｘ２２，Ｙ２２，Ｚ２２）・（Ｘ２３，Ｙ２３，Ｚ２３）・（Ｘ２４，Ｙ２４，Ｚ２４）および原稿Ｃの４つの頂点の座標を原稿位置座標（Ｘ３１，Ｙ３１，Ｚ３１）・（Ｘ３２，Ｙ３２，Ｚ３２）・（Ｘ３３，Ｙ３３，Ｚ３３）・（Ｘ３４，Ｙ３４，Ｚ３４）として検出し、また画像形成装置１０のスキャナ部１０１のスキャナ部位置座標を（Ｘ４，Ｙ４，Ｚ４）として検出する。
【００３０】
なお、各原稿の４つの頂点の座標から当該原稿の形、サイズを検出することができる。
【００３１】
また、本実施例では、原稿位置座標およびスキャナ部位置座標を３次元の座標として検出するが、２次元の座標として検出するようにしても良い。３次元の座標として検出することにより、より正確にスキャナ位置座標に近い原稿を決定することができる。
【００３２】
上述した構成の作用について説明する。
【００３３】
まず、図１に示す撮像装置２０が行う撮影処理を図２の第１の実施例における撮影処理の流れを示すフローチャートの図中Ｓで表すステップに従って図１を参照しながら説明する。
【００３４】
Ｓ１０１：撮像装置２０は、制御部２１２の制御により、カメラ部２０１で撮影を開始する。
【００３５】
Ｓ１０２：原稿検出部２０４は、カメラ部２０１が撮影した画像の画像解析を行い、カメラ部２０１が撮影した画像の中に、画像形成装置１０で読取ることができる原稿の形、サイズのものを検出する。
【００３６】
Ｓ１０３：制御部２１２は、原稿検出部２０４において画像形成装置１０で読取ることができる原稿として判定されるものが検出されたか否かを判断し、検出されたと判断すると処理をＳ１０３へ移行し、検出されないと判断すると処理をＳ１０８へ移行する。
【００３７】
Ｓ１０４：制御部２１２は、原稿検出部２０４において画像形成装置１０で読取ることができる原稿を検出すると、その原稿部分の画像を静止画像として画像一時保存部２０５に保存する。
【００３８】
Ｓ１０５：撮影物位置追跡部２０６は、カメラ部２０１で撮影した画像の範囲内において原稿の移動を追跡し、原稿の位置座標（原稿位置座標）を記憶手段に一時保存する。
【００３９】
Ｓ１０６：画像形成装置検出部２０８は、撮影される画像の中に画像形成装置１０の画像が存在するか否かを、記憶装置２１１に保存してある画像形成装置１０の画像パターンに基づいてパターンマッチング処理を行い、検出する。
【００４０】
Ｓ１０７：制御部２１２は、画像形成装置検出部２０８で画像形成装置１０の画像の存在を検出すると処理をＳ１０８へ移行し、検出しないと処理をＳ１０９へ移行する。
【００４１】
Ｓ１０８：画像形成装置検出部２０８が画像形成装置１０の画像の存在を検出すると、撮影物位置追跡部２０６は、画像形成装置１０のスキャナ部１０１が撮影画像の範囲内での移動を追跡し、スキャナ部１０１の位置座標（スキャナ部位置座標）を記憶手段に一時保存する。
【００４２】
Ｓ１０９：制御部２１２は、カメラ部２０１での撮影を終了したか否かを判定し、終了していないと判定すると処理をＳ１０２へ戻し、終了したと判定すると本処理を終了する。
【００４３】
次に、図１に示す画像形成装置１０が行う読取設定送信処理を図３の第１の実施例における読取設定送信処理の流れを示すフローチャートの図中Ｓで表すステップに従って図１を参照しながら説明する。
【００４４】
Ｓ２０１：画像形成装置１０の制御部１０８は、原稿検出部１０４により、スキャナ部１０１に原稿が載置されたことを検出すると、無線通信距離判定部１０７により、周囲に存在する撮像装置２０との距離を算出する。
【００４５】
Ｓ２０２：制御部１０８は、無線通信距離判定部１０７により算出された撮像装置２０との距離に基づいて最も近い撮像装置２０を特定する。
【００４６】
Ｓ２０３：制御部１０８は、特定した撮像装置２０に対して外部Ｉ／Ｆ１０２を介し、原稿がスキャナ部１０１にセットされたか否かを問い合わせる。
【００４７】
Ｓ２０４：制御部１０８は、特定した撮像装置２０から原稿がセットされた旨の応答があるか否かを判定し、原稿がセットされた旨の応答を受けると処理をＳ２０５へ移行し、原稿がセットされなかった旨の応答を受けると処理をＳ２０６へ移行する。
【００４８】
Ｓ２０５：制御部１０８は、原稿がセットされた旨の応答を受けると、原稿をスキャンするときの読取設定としてのスキャン設定値を撮像装置２０に送信し、本処理を終了する。
【００４９】
Ｓ２０６：一方、制御部１０８は、原稿がセットされなかった旨の応答を受けると、次に近い撮像装置２０を特定し、処理をＳ２０３へ戻す。
【００５０】
次に、図１に示す撮像装置２０が行う原稿セット問合せ応答処理を図４の第１の実施例における原稿セット問合せ応答処理の流れを示すフローチャートの図中Ｓで表すステップに従って図１を参照しながら説明する。
【００５１】
Ｓ３０１：撮像装置２０の制御部２１２は、外部Ｉ／Ｆ２０２を介して画像形成装置１０から原稿がスキャナ部１０１にセットされたか否かの問い合わせを受けると、撮影物位置追跡部２０６により画像形成装置１０が検出され、スキャナ部１０１の位置の追跡ができているか否かを確認し、画像形成装置１０が検出でき、スキャナ部１０１の位置の追跡ができていると判定すると処理をＳ３０２へ移行し、画像形成装置１０が検出できていないと判定すると処理をＳ３０９へ移行する。
【００５２】
Ｓ３０２：制御部２１２は、撮影物位置追跡部２０６により画像形成装置１０が検出され、スキャナ部１０１の位置の追跡ができていると判定すると、スキャナ部１０１の位置座標（スキャナ部位置座標）を取得する。
【００５３】
Ｓ３０３：制御部２１２は、撮影物位置追跡部２０６により原稿が検出され、位置の追跡ができているか否かを確認し、原稿が検出できていると判定すると処理をＳ３０４へ移行し、原稿が検出できていないと判定すると処理をＳ３０９へ移行する。
【００５４】
Ｓ３０４：制御部２１２は、撮影物位置追跡部２０６により追跡された原稿の位置座標（原稿位置座標）を取得する。
【００５５】
Ｓ３０５：制御部２１２は、スキャナ部１０１の位置座標と、原稿の位置座標とからスキャナ部１０１と原稿の距離を算出する。
【００５６】
Ｓ３０６：制御部２１２は、算出したスキャナ部１０１と原稿の距離が所定の範囲内か否かを確認し、所定の範囲内にあると判定、即ち原稿が画像形成装置１０のスキャナ部１０１に接近していると判定すると処理をＳ３０７へ移行し、所定の範囲内にないと判定すると処理をＳ３０８へ移行する。
【００５７】
Ｓ３０７：制御部２１２は、スキャナ部１０１と原稿の距離が所定の範囲内にあると判定すると、原稿がスキャナ部１０１にセットされたことを表す情報である「Ｙｅｓ」を画像形成装置１０に返し、原稿セット問合せ応答処理を終了する。
【００５８】
Ｓ３０８：制御部２１２は、撮影物位置追跡部２０６により他の原稿が検出され、位置の追跡ができているか否かを確認し、他の原稿が検出できていると判定すると処理をＳ３０４へ移行し、他の原稿が検出できていないと判定すると処理をＳ３０９へ移行する。
【００５９】
Ｓ３０９：制御部２１２は、原稿がスキャナ部１０１にセットされていないことを表す情報である「Ｎｏ」を画像形成装置１０に返し、原稿セット問合せ応答処理を終了する。
【００６０】
次に、図１に示す撮像装置２０が行うプレビュー画像表示処理を図５の第１の実施例におけるプレビュー画像表示処理の流れを示すフローチャートの図中Ｓで表すステップに従って図１を参照しながら説明する。
【００６１】
Ｓ４０１：撮像装置２０の制御部２１２は、外部Ｉ／Ｆ２０２を介して画像形成装置１０からスキャン設定値を受信したか否かを判定し、受信したと判定するとプレビュー画像を表示するために処理をＳ４０２へ移行し、受信していないと判定すると処理をスキャン設定値の受信の監視を継続する。
【００６２】
なお、撮像装置２０が受信するスキャン設定値は、図３に示すＳ２０５において画像形成装置１０から送信されたものである。
【００６３】
Ｓ４０２：撮像装置２０のプレビュー用画像決定部２０９は、撮影物位置追跡部２０６が保持する原稿位置座標と、スキャナ位置座標とに基づき最もスキャナ位置座標に近い位置に存在する原稿の画像をプレビュー用に使用する画像として決定し、プレビュー画像作成部２１０は、プレビュー用画像決定部２０９が決定した原稿の画像データを画像一時保存部２０５から取得し、またスキャン設定受信部２０７からスキャン設定値を取得し、取得した原稿の画像データおよび設定値に基づいて原稿のプレビュー用の画像を作成し、表示部２０３に表示し、処理をＳ４０１へ戻す。
【００６４】
このように、画像形成システム１において、画像形成装置１０は、無線通信距離判定部１０７で最も接近していると判定された撮像装置２０に、スキャン設定値を送信し、撮像装置２０は、画像形成装置１０から受信したスキャン設定値と、カメラ部２０１が取得した原稿画像とに基づいて原稿のプレビュー画像を表示部２０３に表示するようにしたことにより、画像形成装置１０で原稿の画像を読取ることなく、撮像装置２０に原稿のプレビュー画像を表示させることができ、プレビュー画像を表示する際の操作者にかかる負担を軽減することができる。
【００６５】
撮像装置２０は、撮影物位置追跡部２０６により追跡された原稿の位置および画像形成装置１０のスキャナ部１０１の位置に基づいて、スキャナ部１０１に接近していると判定された原稿のプレビュー画像を表示部２０３に表示する。
【００６６】
また、撮像装置２０を眼鏡型撮像装置とし、撮影物位置追跡部２０６により、眼鏡型撮像装置の視界に入る原稿の位置および画像形成装置１０のスキャナ部１０１部の位置を追跡し、原稿のプレビュー画像を眼鏡型撮像装置の視界に重ねて表示するようにしたことにより、操作者は眼鏡型撮像装置を身体に装着し、原稿および画像形成装置１０のスキャナ部１０１部を視界に入れるだけで原稿のプレビュー画像を確認することができるようになり、操作者にかかる負担を大きく軽減することができる。
【００６７】
以上説明したように、第１の実施例では、画像形成装置で原稿の画像を読取ることなく、撮像装置に原稿のプレビュー画像を表示させることができ、プレビュー画像を表示する際の操作者にかかる負担を軽減することができるという効果が得られる。
【実施例２】
【００６８】
第２の実施例の構成は、撮像装置の構成が第１の実施例と異なっている。
第２の実施例の構成を図７の第２の実施例における画像形成システムの構成を示すブロック図に基づいて説明する。なお、上述した第１の実施例と同様の部分は、同一の符号を付してその説明を省略する。
図７において、画像形成システム１は、画像形成装置１０と、撮像装置２１とを有している。なお、画像形成装置１０の構成は、第１の実施例と同様である。
【００６９】
撮像装置２１は、画像を撮影する機能を有するものであり、カメラ部２０１と、外部Ｉ／Ｆ２０２と、スキャン設定受信部２０７と、表示部２１３と、画像一時保存部２１５と、プレビュー画像作成部２２０と、制御部２２２とを有している。
【００７０】
本実施例の撮像装置２１は、例えばスマートフォン等の携帯情報端末装置である。
表示部２１３は、液晶ディスプレイ（ＬＣＤ）等で構成され、利用者に伝えるメッセージ等を表示するものである。
【００７１】
画像一時保存部２１５は、カメラ部２０１で撮影した原稿の画像を記憶し、保存する記憶手段である。
【００７２】
プレビュー画像作成部２２０は、画像一時保存部２１５から原稿の画像データを取得し、またスキャン設定受信部２０７からスキャン設定値を取得し、取得した原稿の画像データおよび設定値に基づいて原稿のプレビュー用の画像を作成し、表示部２１３に表示するものである。プレビュー画像作成部２２０は、取得した原稿の画像データにスキャン設定値を適用して原稿のプレビュー用の画像を作成する。
【００７３】
制御部２２２は、ＣＰＵ等の制御手段を備え、記憶手段２２２ａに格納された制御プログラム（ソフトウェア）に基づいてカメラ部２０１、外部Ｉ／Ｆ２０２、スキャン設定受信部２０７、表示部２１３、画像一時保存部２１５、およびプレビュー画像作成部２２０を制御し、撮像装置２１全体の動作を制御するものである。
【００７４】
図１１は第２の実施例における画像形成装置、撮像装置および原稿の説明図である。
【００７５】
図１１において、撮像装置２１は、カメラ部２０１で原稿Ａを撮影し、画像形成装置１０からスキャン設定値を受信すると、原稿のプレビュー用の画像を作成し、表示部２１３に表示する。
【００７６】
上述した構成の作用について説明する。
【００７７】
まず、図７に示す撮像装置２１が行う撮影処理を図８の第２の実施例における撮影処理の流れを示すフローチャートの図中Ｓで表すステップに従って図７を参照しながら説明する。
【００７８】
Ｓ５０１：撮像装置２１は、ユーザの操作によりカメラが起動されると、制御部２２２の制御により、カメラ部２０１で原稿の撮影を行い、画像データを画像一時保存部２１５に保存し、本処理を終了する。
【００７９】
次に、図７に示す画像形成装置１０が行う読取設定送信処理を図９の第２の実施例における読取設定送信処理の流れを示すフローチャートの図中Ｓで表すステップに従って図１を参照しながら説明する。
【００８０】
Ｓ６０１：画像形成装置１０の制御部１０８は、原稿検出部１０４により、スキャナ部１０１に原稿が載置されたことを検出すると、無線通信距離判定部１０７により、周囲に存在する撮像装置２１との距離を算出する。
【００８１】
Ｓ６０２：制御部１０８は、無線通信距離判定部１０７により算出された撮像装置２１との距離に基づいて最も近い撮像装置２１を特定する。
【００８２】
Ｓ６０３：制御部１０８は、特定した撮像装置２１に対して外部Ｉ／Ｆ１０２を介し、プレビュー用の一時画像を画像一時保存部２１５に保存したか否かを問い合わせる。
【００８３】
Ｓ６０４：制御部１０８は、特定した撮像装置２１からプレビュー用の一時画像が保存した旨の応答があるか否かを判定し、プレビュー用の一時画像が保存した旨の応答を受けると処理をＳ６０５へ移行し、プレビュー用の一時画像が保存していない旨の応答を受けると処理をＳ６０６へ移行する。
【００８４】
Ｓ６０５：制御部１０８は、プレビュー用の一時画像が保存した旨の応答を受けると、原稿をスキャンするときのスキャン設定値を撮像装置２１に送信し、本処理を終了する。
【００８５】
Ｓ６０６：一方、制御部１０８は、プレビュー用の一時画像が保存していない旨の応答を受けると、次に近い撮像装置２１を特定し、処理をＳ６０３へ戻す。
【００８６】
次に、図７に示す撮像装置２１が行うプレビュー画像保存問合せ応答処理を図１０の第２の実施例におけるプレビュー画像保存問合せ応答処理の流れを示すフローチャートの図中Ｓで表すステップに従って図７を参照しながら説明する。
【００８７】
Ｓ７０１：撮像装置２０の制御部２１２は、外部Ｉ／Ｆ２０２を介して画像形成装置１０からプレビュー用の一時画像を画像一時保存部２１５に保存したか否かの問い合わせを受けると、プレビュー用の一時画像が画像一時保存部２１５に保存されているか否かを確認し、保存されていると判定すると処理をＳ７０２へ移行し、保存されていないと判定すると処理をＳ７０３へ移行する。
【００８８】
Ｓ７０２：制御部２１２は、プレビュー用の一時画像が画像一時保存部２１５に保存されていることを表す情報である「Ｙｅｓ」を画像形成装置１０に返し、プレビュー画像保存問合せ応答処理を終了する。
【００８９】
Ｓ７０３：制御部２１２は、プレビュー用の一時画像が画像一時保存部２１５に保存されていないことを表す情報である「Ｎｏ」を画像形成装置１０に返し、プレビュー画像保存問合せ応答処理を終了する。
【００９０】
なお、図７に示す撮像装置２１が行うプレビュー画像表示処理は図５に示す第１の実施例と同様であり、プレビュー画像作成部２２０は、図９に示すＳ６０５において画像形成装置１０から送信されたスキャン設定値に基づいて原稿のプレビュー用の画像を作成し、表示部２１３に表示する。
【００９１】
このように、本実施例の画像形成システム１において、画像形成装置１０は、無線通信距離判定部１０７で最も接近していると判定された撮像装置２１に、スキャン設定値を送信し、撮像装置２１は、画像形成装置１０から受信したスキャン設定値と、カメラ部２０１が取得した原稿画像とに基づいて原稿のプレビュー画像を表示部２１３に表示するようにしたことにより、画像形成装置１０で原稿の画像を読取ることなく、撮像装置２１に原稿のプレビュー画像を表示させることができ、プレビュー画像を表示する際の操作者にかかる負担を軽減することができる。
【００９２】
以上説明したように、第２の実施例では、画像形成装置で原稿の画像を読取ることなく、撮像装置に原稿のプレビュー画像を表示させることができ、プレビュー画像を表示する際の操作者にかかる負担を軽減することができるという効果が得られる。
【００９３】
なお、第１の実施例および第２の実施例では、画像形成装置を複合機として説明したが、それに限られることなく、原稿を読取る読取部を有するものであればスキャナ装置、ファクシミリ装置等とすることができる。
【符号の説明】
【００９４】
１    画像形成システム
１０  画像形成装置
２０、２１  撮像装置
１０１  スキャナ部
１０２、２０２  外部Ｉ／Ｆ
１０３  操作部
１０４   原稿検出部
１０５  印刷部
１０６  スキャン設定送信部
１０７  無線通信距離判定部
１０８、２１２、２２２  制御部
２０１  カメラ部
２０３、２１３  表示部
２０４  原稿検出部
２０５、２１５  画像一時保存部
２０６  撮影物位置追跡部
２０７  スキャン設定受信部
２０８  画像形成装置検出部
２０９  プレビュー用画像決定部
２１０、２２０  プレビュー画像作成部
２１１  記憶装置
【図１】
2020087249.tif 000003
【図２】
2020087249.tif 000004
【図３】
2020087249.tif 000005
【図４】
2020087249.tif 000006
【図５】
2020087249.tif 000007
【図６】
2020087249.tif 000008
【図７】
2020087249.tif 000009
【図８】
2020087249.tif 000010
【図９】
2020087249.tif 000011
【図１０】
2020087249.tif 000012
【図１１】
2020087249.tif 000013